(57)【要約】本発明の吸収用品は、ユーザの排泄物を受け止める排泄領域に互いに離隔するように２つ以上形成され、電気が通じるパターンが備えられたシート部と、前記パターンに物理的に接触する端子が３つ以上形成され、前記シート部に対して着脱される端末部とを含み、前記端子と前記パターンは、前記シート部に前記端末部が装着されるとき、互いに離隔した２つ以上の前記パターンそれぞれに少なくとも一つずつの前記端子が物理的に接触するように形成され、前記端末部には、前記排泄物を検知する検知信号を生成し、前記パターンに接触した前記端子に前記検知信号を提供する検知モジュールが設けられ得る。【選択図】図１
2020524805.tif 000002
【特許請求の範囲】
【請求項１】
電気が通じるパターンが備えられたシート部と、
前記パターンに物理的に接触する端子が設けられ、前記シート部に対して着脱される端末部とを含み、
前記パターンは、前記シート部における、ユーザの排泄物を受ける排泄領域に互いに離隔するように２つ以上形成され、
前記端末部には、前記排泄物を検知する検知信号を生成する検知モジュールが設けられ、
前記検知モジュールは、前記パターンに接触した前記端子へ前記検知信号を提供する、吸収用品。
【請求項２】
前記シート部に前記端末部が装着されるとき、互いに離隔した２つ以上の前記パターンそれぞれに少なくとも一つずつの前記端子が物理的に接触し、
前記検知モジュールは、陽（＋）パターンに接触した端子に前記検知信号を印加し、
前記検知モジュールは、前記陽パターン、前記排泄物、陰（−）パターンを順次経た前記検知信号を、前記陰パターンに接触した端子から受信し、
前記端末部には、複数の前記パターンのうちのいずれかの特定のパターンに一緒に接触する第１端子及び第２端子が設けられ、
前記第１端子に判別信号を印加して、前記第２端子を介して前記判別信号を入手する判別モジュールが設けられた、請求項１に記載の吸収用品。
【請求項３】
前記端末部には、複数の前記パターンのうちのいずれかの特定のパターンに一緒に接触する第１端子及び第２端子が設けられ、
前記端末部には、一つの前記特定のパターンに一緒に接触した前記第１端子及び前記第２端子を用いて、前記特定のパターンの物理的特性を把握する判別モジュールが設けられ、
前記判別モジュールは、前記特定のパターンの物理的特性を用いて前記シート部の異常の有無を判別する、請求項１に記載の吸収用品。
【請求項４】
前記端末部には、複数の前記パターンのうちのいずれかの特定のパターンに一緒に接触する第１端子及び第２端子が設けられ、
前記端末部は、前記特定のパターンに物理的に接触した状態で前記第１端子と前記第２端子との間の抵抗値を測定し、
前記端末部は、測定された前記抵抗値が設定値を外れると、前記検知信号の代わりに、前記シート部の異常を案内する警告信号を生成する、請求項１に記載の吸収用品。
【請求項５】
前記端末部には、複数の前記パターンのうちの特定のパターンに前記検知信号を提供する第１端子、及び前記第１端子と一緒に前記特定のパターンに接触する第２端子が設けられ、
前記端末部は、前記第２端子を用いて前記第１端子と前記特定のパターン間の整列状態又は前記第１端子と前記特定のパターン間の物理的接触の有無を判別する、請求項１に記載の吸収用品。
【請求項６】
前記パターンは、電気的に分離された第１パターン及び第２パターンを含み、
前記端末部には、前記第１パターンに接触可能に形成された第１端子及び第２端子、並びに前記第２パターンに接触可能に形成された第３端子及び第４端子が設けられ、
前記第１端子と前記第２端子が前記第１パターンに全て接触すると、前記第１パターンによって前記第１端子と前記第２端子とが電気的に接続され、
前記第３端子と前記第４端子とが前記第２パターンに全て接触すると、前記第２パターンによって前記第３端子と前記第４端子とが電気的に接続され、
前記端末部は、前記第１端子及び前記第２端子のうちのいずれかに第１判別信号を印加し、前記第３端子及び前記第４端子のうちのいずれかに第２判別信号を印加し、
前記端末部は、前記第１端子及び前記第２端子のうちの残りの一つで前記第１判別信号が入手されるかを確認し、
前記端末部は、前記第３端子及び前記第４端子のうちの残りの一つで前記第２判別信号が入手されるかを確認し、
前記検知モジュールは、前記第１判別信号及び前記第２判別信号が全て入手された場合に限って前記検知信号を生成し、
前記検知モジュールは、前記第１端子及び前記第２端子のうちの少なくとも一つに前記検知信号を印加し、前記第３端子及び前記第４端子のうちの少なくとも一つから入手される前記検知信号をモニタリングし、
前記検知モジュールは、前記検知信号のモニタリングを介して前記排泄物の有無又は前記排泄物の量を把握する、請求項１に記載の吸収用品。
【請求項７】
前記端末部は、電源が印加されると、前記端子が前記パターンに接触したか否かを判別する判別信号を前記端子に印加するスリープモードで動作し、
前記端末部は、前記スリープモードで動作中、前記端子が前記パターンに接触したことが確認されると、前記検知信号を前記端子に印加するオンモードで動作し、
前記判別信号は、前記検知信号よりも低い電力値を持つ、請求項１に記載の吸収用品。
【請求項８】
前記端末部には、サーバと無線通信する通信モジュールが設けられ、
前記検知モジュールによって前記排泄物が検知されると、前記通信モジュールは、前記端末部の識別情報及び前記排泄物が検知された第１時刻情報が含まれている第１通知メッセージを生成して前記サーバへ伝送する、請求項１に記載の吸収用品。
【請求項９】
前記端末部には、前記シート部が取り替えられるたびに、取り替えられた前記シート部の数量を数える数量モジュール、サーバと無線通信する通信モジュールが設けられ、
前記通信モジュールは、前記端末部の識別情報、前記端末部に対して取り替えられた前記シート部の数量情報、及び前記シート部が取り替えられた第２時刻情報が含まれている第２通知メッセージを前記サーバへ伝送する、請求項１に記載の吸収用品。
【請求項１０】
前記シート部は、前記排泄物の通過が少なくとも一部制限される材質の第１シート、及び前記ユーザに対面する前記第１シートの一面に積層され、前記排泄物が通過する第２シートを含み、
前記パターンは、前記第２シートに対面する前記第１シートの一面に印刷され、前記端末部には、前記シート部を挟んで互いに結合する第１着脱部及び第２着脱部が設けられ、
前記端子は、前記ユーザに対面する前記第１シートの一面側に配置された前記第１着脱部が設置され、
前記端子は、前記端末部がシート部に装着されると、前記第２シートを通過して前記パターンに物理的に接触する、請求項１に記載の吸収用品。
【請求項１１】
前記端末部には、第１着脱部、第２着脱部及びヒンジ部が設けられ、
前記第１着脱部と前記第２着脱部は、前記シート部を挟んで互いに密着または離隔しながら前記シート部に対して着脱され、
前記ヒンジ部は、前記第１着脱部と前記第２着脱部とを回動可能に接続し、
前記第１着脱部と前記第２着脱部は、前記ヒンジ部を中心に回動しながら互いに密着または離隔する、請求項１に記載の吸収用品。
【請求項１２】
前記端末部には、前記シート部を挟んで互いに結合する第１着脱部及び第２着脱部が設けられ、
前記端子は、前記パターンに対面する前記第１着脱部に設置され、
前記第２着脱部には、前記シート部を挟んで前記端子に対面する弾性部が設けられ、
前記端子は、前記弾性部に向かって突出するように形成された、請求項１に記載の吸収用品。
【請求項１３】
前記第１着脱部と前記第２着脱部とが互いに結合すると、前記端子は、前記パターンに接触しながら前記弾性部を加圧し、
前記弾性部は、前記端子の加圧によって前記パターンと一緒に陥没し、
陥没した弾性反発力を利用して前記パターンと前記端子とを密着させる、請求項１２に記載の吸収用品。
【請求項１４】
前記端子は、角状に形成され、
前記第１着脱部と前記第２着脱部とが互いに結合すると、前記端子は、前記弾性部に支持された前記シート部の表面を突き破って入り、前記シート部の内部に配置された前記パターンに接触しながら前記弾性部を加圧する、請求項１２に記載の吸収用品。
【請求項１５】
前記端末部には、前記シート部を挟んで互いに結合する第１着脱部及び第２着脱部が設けられ、
前記端子は、前記パターンに対面する前記第１着脱部に設置され、
前記検知モジュールは、前記第２着脱部に設置され、
前記第１着脱部と前記第２着脱部との間には、前記端子と前記検知モジュールとを電気的に接続する配線が設けられた、請求項１に記載の吸収用品。
【発明の詳細な説明】
【技術分野】
【０００１】
本発明は、ユーザの身体から排出された排泄物を受け止める吸収用品に関する。
【背景技術】
【０００２】
おむつは、高齢者や身体障害者などが使用する吸収性物品であって、使い捨ておむつ、トレーニングパンツ、失禁用パンツなどがある。これらの吸収性物品はいずれも、着用者の生活習慣や介護レベルに応じて区別されて使われている。
【０００３】
例えば、使い捨ておむつは、高齢者や身体障害者などのように自力での排泄行為が困難な人に対して、その排泄物を漏洩することなく維持吸収することにより、排泄などのための補助具として、または介護用衛生品として使われている。
【０００４】
尿は、ユーザの健康状態を把握する重要な資料になることができる。このため、ユーザの尿を検知し管理する方法が求められる。
【発明の概要】
【発明が解決しようとする課題】
【０００５】
本発明の目的は、ユーザの排泄物を検知する吸収用品を提供することにある。
【課題を解決するための手段】
【０００６】
本発明の吸収用品は、ユーザの排泄物を受け止める排泄領域に互いに離隔するように２つ以上形成され、電気が通じるパターンが備えられたシート部と、前記パターンに物理的に接触する端子が３つ以上形成され、前記シート部に対して着脱される端末部とを含み、前記端子と前記パターンは、前記シート部に前記端末部が装着されるときに互いに離隔した２つ以上の前記パターンそれぞれに少なくとも一つずつの前記端子が物理的に接触するように形成され、前記端末部には、前記排泄物を検知する検知信号を生成し、前記パターンに接触した前記端子へ前記検知信号を提供する検知モジュールが設けられ得る。
【発明の効果】
【０００７】
本発明の吸収用品は、シート部と、シート部に対して着脱される端末部とを含むことができる。
【０００８】
端末部は、シート部に形成されたパターンを用いてユーザの排泄物を検知することができる。
【０００９】
端末部は、一つのパターンに接触する複数の端子を用いてシート部の異常の有無を判別することができる。シート部の異常の有無の判別を介して排泄物を正確に検知し、電気ショックなどの事故を効果的に予防することができる吸収用品が提供できる。
【００１０】
また、端末部は、一つのパターンに接触する複数の端子を用いてシート部と端末部間の整列状態を判別することができる。端末部は、判別された整列状態をユーザに案内することにより、端末部がシート部に正しく装着されるように誘導することができる。
【００１１】
端末部は、排泄物の検知時刻情報と端末部の識別情報をサーバへ伝送することができる。
【００１２】
端末部の識別情報を用いて、シート部を着用したユーザが特定できる。特定されたユーザの排泄状態が遠距離から管理できる。
【００１３】
端末部は、取り替えられたシート部の数量を把握し、取り替えられたシート部の数量情報及びシート部の取替時刻情報をサーバへ伝送することができる。取り替えられたシート部の数量情報は、医療保険などの給与額の算定などの政策樹立に使用できる。
【図面の簡単な説明】
【００１４】
【図１】本発明の吸収用品を示す概略図である。
【図２】シート部の断面を示す概略図である。
【図３】端末部を示すブロック図である。
【図４】特定のパターンに接触した第１端子及び第２端子を示す概略図である。
【図５】パターンと端子間の整列状態を示す概略図である。
【図６】本発明の端末部を示す概略図である。
【図７】本発明の端末部を示す概略図である。
【図８】本発明の他の端末部を示す概略図である。
【図９】本発明の弾性部と端子との間にシート部が配置された状態を示す概略図である。
【図１０】本発明の比較実施例を示す概略図である。
【発明を実施するための形態】
【００１５】
図１は本発明の吸収用品を示す概略図である。
【００１６】
図１に示す吸収用品は、シート部１００と端末部５００とを含むことができる。
【００１７】
シート部１００には、電気が通じるパターン２００が備えられ得る。パターン２００は、ユーザの排泄物を受けるシート部１００の排泄領域ｋに互いに離隔するように２つ以上形成できる。
【００１８】
ユーザは、シート部１００を着用するヒトまたは動物を含むことができる。
【００１９】
ユーザの排泄物は、糞、尿、汗、月経血、涙、唾液などを含むことができる。各排泄物を受け止めるために、シート部１００は、大小便を受け止めるおむつまたはパッド、ユーザの身体の特定位置に取り付けられ、汗を受け止めるパッドまたはパッチ、月経血を受け止める生理用ナプキン、涙を受け止める眼帯、唾などを受け止めるマスクなどを含むことができる。
【００２０】
図示されたシート部１００は、ユーザの脚部の間に取り付けられて大小便を受け止めるおむつを含むことができる。図示された各構成は、生理用ナプキンなどの他の種類のシート部１００にもそのまま適用できる。
【００２１】
おむつの一方の縁部には、一対のテープファスナー１９０が設置できる。テープファスナー１９０のテープは、おむつの他方の縁部に付着することができる。
【００２２】
おむつの中央の両サイドには、上方に起立するように形成された一対の漏洩防止用カフス１７０が設けられ得る。
【００２３】
図２はシート部１００の断面を示す概略図である。
【００２４】
シート部１００は、排泄物の通過が少なくとも一部制限される材質の第１シート１１０、及びユーザに対面する第１シート１１０の一面に積層され且つ排泄物が通過する材質の第２シート１２０を含むことができる。
【００２５】
一例として、第１シート１１０は、ユーザの排泄物が外部へ排出されないビニール、フィルムなどの材質、例えばポリエチレンを含むことができる。
【００２６】
第１シート１１０は、シート部１００の着用位置などを考慮して、一部の形状が変わり得る。第１シート１１０は、基本的に多くの排泄物を漏洩なく確実に受け止めるために、排泄器官よりも広い面積の板状に形成できる。
【００２７】
排泄物の吸収力を高めるために、吸収材１５０が追加できる。
【００２８】
吸収材１５０は、ユーザに対面する第２シート１２０の一面に積層できる。吸収材１５０は、綿、ＳＡＰ（Ｓｕｐｅｒ  Ａｂｓｏｒｂｔｉｏｎ  Ｐｏｌｙｍｅｒ）、ティッシュなどの材質を含むことができる。
【００２９】
綿などの吸収材１５０は、ビニール製の第１シート１１０に滑りやすい。この時の滑りにより、吸収材１５０を構成する綿粒子、ＳＡＰ粒子、ティッシュ粒子が第１シート１１０に対して固定されずに位置変動して、排泄領域のいずれか一方は吸収材１５０がガラガラと空き、排泄領域の他方は吸収材１５０が集まる珍現象が発生し得る。
【００３０】
吸収材１５０の粒子の位置変動を防ぐために、ビニール製の第１シート１１０に容易に接合される第２シート１２０が使用できる。一例として、綿に接触する前記第２シート１２０は、排泄物を通過させると同時に綿の位置変動を制限する不織布を含むことができる。
【００３１】
吸収材１５０が設けられた場合には、第２シート１２０から吸収材１５０が離脱する現象を防止するために、第３シート１３０が追加できる。
【００３２】
第３シート１３０は、ユーザに対面する吸収材１５０の一面に積層され、排泄物が通過する材質を含むことができる。第３シート１３０の中央は吸収材１５０を覆い、第３シート１３０の縁部は第１シート１１０または第２シート１２０に直接接合できる。
【００３３】
吸収材１５０が含まれているシート部１００の中央は、図１のＡ−Ａ’線に沿った断面が開示されている図２（ａ）の如く、第１シート１１０、パターン２００、第２シート１２０、吸収材１５０及び第３シート１３０が順次積層された構造で形成できる。
【００３４】
シート部１００の縁部は、図１のＢ−Ｂ’に沿った断面が開示されている図２（ｂ）の如く、第１シート１１０、パターン２００及び第２シート１２０が順次積層された構造で形成できる。シート部１００の縁部の第２シート１２０上には、第３シート１３０がさらに積層できる。
【００３５】
第３シート１３０は、第１シート１１０または第２シート１２０に対して吸収材１５０の離脱を防止するカバーとして機能することができる。また、第３シート１３０は、吸収材１５０を構成する綿粒子、ＳＡＰ粒子、ティッシュ粒子がユーザの身体に付着するか、或いは吸収材１５０に既に吸収された排泄物がユーザの身体に再び付着する現象を防止することができる。
【００３６】
吸収材１５０及びパターン２００は、排泄領域に形成できる。第１シート１１０、第２シート１２０、吸収材１５０及び第３シート１３０は、排泄領域よりも広い面積に形成されてもよい。ただし、コスト削減のために、吸収材１５０は、排泄領域の大きさに合わせて形成できる。言い換えれば、吸収材１５０は、第１シート１１０、第２シート１２０及び第３シート１３０よりも小さい面積に形成できる。吸収材１５０の面積が小さい場合には、第３シート１３０の縁部が第２シート１２０の縁部に容易に接合できる。
【００３７】
以上の構成によれば、外部からユーザの身体を向く方向に沿って、第１シート１１０、第２シート１２０、吸収材１５０及び第３シート１３０が順次積層されたシート部１００が提供できる。
【００３８】
このとき、第２シート１２０、吸収材１５０及び第３シート１３０は、排泄物が通過する材質を含むので、ユーザが排泄領域に排泄した排泄物は、ユーザに対面する第１シート１１０の一面から第３シート１３０まで存在することができる。
【００３９】
パターン２００は、排泄領域に排泄された排泄物を検知するためのものであり、排泄物が存在しうる第１シート１１０から第３シート１３０までの区間内に設置できる。
【００４０】
パターン２００は、第２シート１２０に対面する第１シート１１０の一面に印刷できる。一例として、パターン２００は、ユーザに対面する第１シート１１０の一面に印刷またはコーティングされた伝導性インクを含むことができる。第１シート１１０が、排泄物の一部が通過する材質を含む場合、パターン２００は、第１シートにおける、ユーザに対面する面の反対面に形成されてもよい。
【００４１】
伝導性インクは、電気が通じるカーボンなどの金属酸化物などを含む物質と伝導性ポリマーのうちの少なくとも一つ（カーボン系、ポリマー系、金属酸化物、ＰＥＤＯＴなどの伝導性物質）、カーボン系、ポリマー系、金属酸化物、ＰＥＤＯＴなどの伝導性物質を薄くする溶剤、伝導性ポリマーの溶媒に該当する水及びアセチルを含むことができる。
【００４２】
ＰＥＤＯＴは、ポリ（３，４−エチレンジオキシチオフェン）（ｐｏｌｙ（３，４−ｅｔｈｙｌｅｎｅｄｉｏｘｙｔｈｉｏｐｈｅｎｅ））である。
【００４３】
高分子は、性能性高分子と機能性高分子に大別される。性能性高分子は、高分子の性質に由来するものであり、機械的性質または熱的性質を特徴とする高分子である。機能性高分子とは、高分子に存在する官能基に応じて特殊な性質が発現されるか、或いは機能性物質をポリマーにブレンドすることにより機能性が発現される高分子である。
【００４４】
伝導性高分子の用途を見ると、伝導性成形材料及び伝導性フィルムが主流をなしており、ＩＣの運搬用、透明電極用などの様々な分野で用いられている。この分野は、ポリマーに伝導性付与剤をブレンドする技術を含むことができる。
【００４５】
伝導性ポリマーは、ポリアセチレン、ポリピロール、ポリチオフェン、ポリアニリンなどを含むことができる。
【００４６】
第１シート１１０の一面に印刷またはコーティングされたパターン２００が第１シート１１０の他面側から確認できるように、第１シート１１０は、ポリエチレンなどの透明材質を含むことができる。その結果、図１に示すように、第１シート１１０の他面側からパターン２００の存否、パターン２００の位置などを容易に把握することができる。
【００４７】
第１シート１１０の他面側からパターン２００が確認可能なので、ユーザは、パターン２００に電気的に接続される端末部５００を容易にシート部１００に整列させることができる。
【００４８】
おむつは、ユーザの身体に着用されるため、実際の排泄領域よりも大きく形成できる。このとき、生産性及び着用感を改善するために、吸収材１５０は排泄領域ｋにのみ設けられ得る。
【００４９】
パターン２００は、２つ以上設けられ得る。複数のパターン２００のうち、一部のパターンは、端末部５００の検知信号が印加される陽（＋）パターン２１０を形成し、他のパターンは、検知信号が端末部５００に戻る陰（−）パターン２２０を形成することができる。
【００５０】
端末部５００は、シート部１００に対して着脱できる。端末部５００には、パターン２００に物理的に接触する端子５３０が３つ以上形成できる。具体的には、端子５３０の個数は、パターン２００の個数よりも１つ以上多くてもよい。
【００５１】
端子５３０とパターン２００は、シート部１００に端末部５００が装着されるとき、互いに離隔した２つ以上のパターン２００それぞれに少なくとも一つずつの端子が物理的に接触するように形成できる。
【００５２】
一例として、設定間隔で離隔している２つのパターン２００がシート部１００に設けられるとき、端末部５００には、２つのパターン２００と同じ間隔で形成された２つの端子５３０が設けられ得る。この場合、いずれかの端子５３０が特定のパターン２００に物理的に接触すると、残りの端子５３０は自然に他のパターン２００に整列されて物理的に接触することができる。
【００５３】
端子５３０とパターン２００との物理的な接触によって、端子とパターン２００とは電気的に接続できる。
【００５４】
図３は端末部５００を示すブロック図である。
【００５５】
シート部１００に対して着脱される端末部５００には、検知モジュール５５０、判別モジュール５７０、表示モジュール５８０、通信モジュール５９０、及び数量モジュール５６０などが設けられ得る。
【００５６】
検知モジュール５５０は、排泄物を検知する検知信号を生成し、パターン２００に接触した端子に検知信号を提供することができる。
【００５７】
一例として、検知モジュール５５０は、陽パターン２１０に接触した端子に検知信号を印加し、陽パターン２１０、排泄物、陰パターン２２０を順次経た検知信号を、陰パターン２２０に接触した端子から受信することができる。検知モジュール５５０は、陰パターン２２０に接触した端子から入力された検知信号を用いて排泄物の有無、排泄物の量を検知することができる。
【００５８】
各パターン２００同士の間に存在する微細な排泄物を検知し且つ排泄物検知性能を改善するために、陽パターン２１０には、陰パターン２２０に向かって突出した第１翼２１１が設けられ得る。第１翼２１１と同様に、陰パターン２２０には、陽パターン２１０に向かって突出した第２翼２２１が設けられ得る。
【００５９】
シート部１００に対して着脱されるために、端末部５００には、シート部１００を挟んで互いに結合する第１着脱部５１０及び第２着脱部５２０が設けられ得る。
【００６０】
このとき、端子は、ユーザに対面する第１シート１１０の一面側に配置された第１着脱部５１０に設置できる。当該端子は、端末部５００がシート部１００に装着されると、第２シート１２０を通過してパターン２００に物理的に接触することができる。
【００６１】
ユーザに対面する第１シート１１０の一面側に端子が配置されるので、端子によって、第１シート１１０に所望しない穴が生じる現象を防止することができる。その結果、本実施形態によれば、第１シート１１０は、排泄物が通過しない状態が維持できる。
【００６２】
端末部５００は、パターン２００の個数よりも多い個数だけ形成された複数の端子を用いて、シート部１００の異常の有無、またはパターン２００と端子間の物理的接触の有無／整列か否かを把握することができる。
【００６３】
一例として、端末部５００には、複数のパターン２００のうち、いずれかの特定のパターン２００に一緒に接触する第１端子５３１と第２端子５３２が設けられ得る。
【００６４】
前記端末部５００には、一つの特定のパターン２００に一緒に接触した第１端子５３１及び第２端子５３２を用いて、特定のパターン２００の物理的特性を把握する判別モジュール５７０が設けられ得る。
【００６５】
判別モジュール５７０は、特定のパターン２００の物理的特性を用いてシート部１００の異常の有無を判別することができる。
【００６６】
図４は特定のパターン２００に接触した第１端子５３１及び第２端子５３２を示す概略図である。
【００６７】
一例として、端末部５００には、複数のパターン２００のうち、いずれかの特定のパターン２００（陰パターン２２０、陽パターン２１０を問わず）に一緒に接触する第１端子５３１及び第２端子５３２が設けられ得る。
【００６８】
端末部５００、具体的に判別モジュール５７０は、特定のパターン２００に物理的に接触した状態で、第１端子５３１と第２端子５３２との間の抵抗値を測定することができる。このとき、判別モジュール５７０によって測定された抵抗値Ｒは、第１端子５３１と第２端子５３２との間に配置されたパターン２００区間の抵抗値であり得る。
【００６９】
第１端子５３１と第２端子５３２との距離がＬであるとき、判別モジュール５７０によって測定された抵抗値Ｒは、Ｌ長さ当たりの抵抗値であり得る。
【００７０】
判別モジュール５７０は、Ｌ長さ当たりの抵抗値が含まれているルックアップテーブルと、測定された抵抗値Ｒとを比較することができる。比較の結果、測定された抵抗値Ｒが設定値を満足すると、判別モジュール５７０は、当該パターン２００及び当該シート部１００が正常であると判別することができる。
【００７１】
端末部５００の判別モジュール５７０は、測定された抵抗値Ｒが設定値を外れると、検知信号の代わりに、シート部１００の異常を案内する警告信号を生成することができる。測定された抵抗値Ｒが設定値を外れると、排泄物が正常に検知されないか、或いは過電流などにより感電事故が誘発され得る。本実施形態によれば、パターン２００に異常が発生すると、感電などを誘発することが可能な検知信号の代わりに警告信号が生成されるので、感電事故を防止することができる。
【００７２】
判別モジュール５７０で生成された警告信号は、ディスプレイ、警告灯、スピーカーなどの図３の表示モジュール５８０を介して表示できる。
【００７３】
本実施形態によれば、シート部１００の異常の有無を容易に把握することができるのみならず、ユーザの安全などを考慮していない模倣シートを識別することができる。
【００７４】
一方、判別モジュール５７０は、各端子とパターン２００間の整列状態、または各端子とパターン２００間の物理的接触の有無を判別することができる。
【００７５】
一例として、第１端子５３１は、複数のパターン２００のうち、特定のパターン２００に検知信号を提供することができる。このとき、第２端子５３２は、第１端子５３１と一緒に特定のパターン２００に接触するように形成できる。
【００７６】
端末部５００の判別モジュール５７０は、第２端子５３２を用いて、第１端子５３１と特定のパターン２００間の整列状態または第１端子５３１と特定のパターン２００間の物理的接触の有無を判別することができる。
【００７７】
電気が通じる同じ特定のパターン２００に接続された第１端子５３１及び第２端子５３２は、特定のパターン２００によって電気的に接続された状態になることができる。
【００７８】
このとき、判別モジュール５７０は、第１端子５３１及び第２端子５３２のいずれかに判別信号を印加し、残りの一つに戻ってきた判別信号を分析して第１端子５３１と第２端子５３２との電気的接続有無を判別することができる。このとき、判別信号は、第１端子５３１と第２端子５３２間の通電状態を検査するためのものであり得る。
【００７９】
判別モジュール５７０は、第１端子５３１と第２端子５３２とが電気的に接続されたことが確認されると、第１端子５３１と第２端子５３２の両方が特定のパターン２００に正常に接触したと判別することができる。第１端子５３１と第２端子５３２とが同じ特定のパターン２００に一緒に接触したのは、第１端子５３１及び第２端子５３２が当該特定のパターン２００に整列されたことを示すことができる。
【００８０】
図５はパターン２００と端子間の整列状態を示す概略図である。図５の（ａ）、（ｂ）、（ｃ）及び（ｄ）はそれぞれパターン２００に対する端子の整列状態を示す。
【００８１】
第１方向（１）に沿ってパターン２００が延びるとき、各パターン２００は、第１方向（１）に垂直な第２方向（２）上に互いに離隔するように形成できる。このとき、第１方向（１）はシート部１００の長さ方向であり、第２方向（２）はシート部１００の幅方向であり得る。
【００８２】
パターン２００の異常の有無の判別、端子とパターン２００との接触有無の判別、端子とパターン２００間の整列状態の判別のために、端末部５００に設けられた３つ以上の端子のうちの少なくとも２つの端子、例えば第１端子５３１及び第２端子５３２は、複数のパターン２００のうちのいずれかの特定のパターン２００に一緒に接続できる。
【００８３】
第１端子５３１、第２端子５３２、第３端子５３３、第４端子５３４の合計４つの端子が端末部５００に設けられるとき、第１端子５３１及び第２端子５３２は、陽パターン２１０に一緒に接触するように形成できる。第３端子５３３と第４端子５３４は、陰パターン２２０に一緒に接触するように形成できる。第１端子５３１及び第２端子５３２が陽パターン２１０に整列されるとき、第３端子５３３と第４端子５３４が陰パターン２２０に整列されるように、第１端子５３１と第３端子５３３との間隔、第２端子５３２と第４端子５３４との間隔は、陽パターン２１０と陰パターン２２０との間隔と同じであることがよい。
【００８４】
このとき、第１端子５３１または第２端子５３２は、検知信号をパターン２００に印加する要素であり得る。排泄物が陽パターン２１０と陰パターン２２０にわたって存在するとき、当該排泄物は、陽パターン２１０と陰パターン２２０とを電気的に接続させる導体の機能を行うことができる。第３端子５３３または第４端子５３４は、排泄物に乗って陰パターン２２０に伝達された検知信号を端末部５００へ提供することができる。
【００８５】
検知モジュール５５０は、第３端子５３３または第４端子５３４から提供された検知信号を分析して排泄物の有無または排泄物の量を把握することができる。
【００８６】
排泄物が検知されると、検知モジュール５５０は、表示モジュール５８０を介して排泄物の存在事実または排泄物の量を表示することができる。
【００８７】
一例として、検知モジュール５５０は、検知された排泄物の量に応じて互いに異なる色が表示されるように表示モジュール５８０を制御することができる。
【００８８】
一つのパターン２００に一緒に接触する複数の端子、例えば、第１端子５３１と第２端子５３２は、図５に示すように第２方向（２）上に互いに離隔するように形成できる。
【００８９】
一つの同じ特定のパターン２００に一緒に接触することができるように、第１端子５３１と第２端子５３２は、第２方向（２）上に特定のパターン２００の幅以下の間隔で形成できる。本実施形態によれば、図５の（ａ）に示すように、第１端子５３１及び第２端子５３２は陽パターン２１０に一緒に接触し、第３端子５３３及び第４端子５３４は陰パターン２２０に一緒に接触することができる。
【００９０】
一方、整列誤差により、図５の（ｂ）及び（ｃ）に示すように、第１端子５３１及び第２端子５３２のうちのいずれかのみが陽パターン２１０に接触し、第３端子５３３及び第４端子５３４のうちのいずれのみが陰パターン２２０に接触することができる。
【００９１】
端末部５００によって第１端子５３１に提供された判別信号は、第１端子５３１を経て特定のパターン２００に印加できる。当該判別信号は、特定のパターン２００を経て第２端子５３２に受信できる。判別モジュールは、第３端子５３３を介して判別信号をさらに提供することができる。第３端子に提供された判別信号は、陰パターンを経て第４端子に受信できる。
【００９２】
端末部５００の判別モジュール５７０は、第２端子５３２に受信された判別信号を用いて特定のパターン２００の物理的特性を判別するか、或いは、第１端子５３１と特定のパターン２００との物理的接触の有無を判別することができる。端末部５００は、物理的特性の判別結果または物理的接触の有無の判別結果に基づいて検知信号の生成有無を決定することができる。
【００９３】
図５の（ｂ）及び（ｃ）の場合、各パターン２００に端子が１つずつ接続された状態なので、検知信号の正常な動作が可能な状態である。それにも拘わらず、判別モジュール５７０は、端子とパターン２００間の整列状態または接触状態を不良と判別することができる。判別モジュール５７０の不良判別により、検知信号が生成されないことがある。
【００９４】
結局、図５の（ｂ）または（ｃ）の場合、ユーザは、シート部１００に対する端末部５００の装着状態を直して図５の（ａ）のような状態にしなければならない。その結果、ユーザは、図５の（ａ）のような状態となるように、端末部５００とシート部１００を精密に整列させる不便を甘受しなければならない。
【００９５】
ユーザの不便さを減らすために、図５の（ｄ）のように第１端子５３１及び第２端子５３２は、第１方向（１）に沿って互いに離隔するように配置され、第２方向（２）上に互いに同じ位置に配置され得る。
【００９６】
本実施形態によれば、端末部５００とシート部１００間の整列状態が第２方向（２）に沿ってある程度ずれても、第１端子５３１及び第２端子５３２は、陽パターン２１０に一緒に接触し、第３端子５３３と第４端子５３４は、陰パターン２２０に一緒に接触することができる。結局、図５の（ｄ）に示された実施形態によれば、端末部５００とシート部１００間の整列に要求される精度が緩和できる。
【００９７】
再び図３に戻って、通信モジュール５９０はサーバと無線通信することができる。一例として、通信モジュール５９０は、ＺｉｇＢｅｅ、ＷｉＦｉ、ブルートゥースなどの無線通信網を介してサーバと通信することができる。通信距離などを考慮して、通信モジュール５９０はＺｉｇＢｅｅネットワークを用いることが良い。
【００９８】
検知モジュール５５０によって排泄物が検知されると、通信モジュール５９０は、端末部５００の識別情報及び排泄物が検知された第１時刻情報が含まれている第１通知メッセージを生成してサーバへ伝送することができる。
【００９９】
第１通知メッセージを受信したサーバは、端末部５００の識別情報を用いて端末部５００を着用したユーザを識別することができる。サーバは、排泄物が検知された第１時刻情報を用いて、既に識別されたユーザの排泄状態を管理することができる。
【０１００】
一方、端末部５００には、シート部１００が取り替えられるたびに、取り替えられたシート部１００の数量を数える数量モジュール５６０が設けられ得る。
【０１０１】
通信モジュール５９０は、端末部５００の識別情報、端末部５００に対して取り替えられたシート部１００の数量情報、及びシート部１００が取り替えられた第２時刻情報が含まれている第２通知メッセージをサーバへ伝送することができる。
【０１０２】
取り替えられたシート部１００の数量情報は、医療保険などの給与額の算定などの政策樹立に使用できる。第２時刻情報は、ユーザのシート部１００の取替習慣を把握するのに使用できる。場合に応じて、第２時刻情報は、医療保険の非正常的請求のための違法なシート部１００の取替行為を摘発するために使用されてもよい。
【０１０３】
図６及び図７は本発明の端末部５００を示す概略図である。
【０１０４】
パターン２００に対面する位置に配置される端末部５００の第１着脱部５１０には、シートの縁部が挿入される溝形状の定着部５１９が形成できる。このとき、各端子は定着部５１９に突設できる。
【０１０５】
端末部５００に設けられた第２着脱部５２０は、第１着脱部５１０に対して回転可能に形成できる。
【０１０６】
各端子とパターン２００とが互いに整列されるようにシート部１００の端部を定着部５１９に載せ、定着部５１９を覆うように第２着脱部５２０を回転させると、図７に示すように、第１着脱部５１０と第２着脱部５２０との間にシート部１００の端部が挟まれる。
【０１０７】
シート部１００の端部に装着される端末部５００の端子にパターン２００が接続されるように、各パターン２００は、シート部１００の一方の末端から他方の末端まで延びることができる。本実施形態によれば、シート部１００の一方の端部または他方の端部に端末部５００が装着できる。
【０１０８】
図６には第１端子５３１及び第２端子５３２が第１方向（１）上に同じ位置に配置され、第２方向（２）上に互いに離隔するように配置されている。この時、図５の（ｄ）に示すように、第１端子５３１及び第２端子５３２は、第１方向（１）上に互いに異なる位置に配置され、第２方向（２）上に互いに同じ位置に配置されてもよい。
【０１０９】
パターン２００は、電気的に分離された第１パターン及び第２パターンを含むことができる。一例として、第１パターンは陽パターン２１０を含むことができる。第２パターンは陰パターン２２０を含むことができる。
【０１１０】
端末部５００には、第１パターンに接触可能に形成された第１端子５３１及び第２端子５３２、並びに前記第２パターンに接触可能に形成された第３端子５３３及び第４端子５３４が設けられ得る。
【０１１１】
第１端子と第２端子が第１パターンに全て接触すると、第１パターンによって第１端子と第２端子とが電気的に接続できる。
【０１１２】
第３端子と第４端子が第２パターンに全て接触すると、第２パターンによって第３端子と第４端子とが電気的に接続できる。
【０１１３】
判別モジュールは、第１端子及び第２端子のいずれかに第１判別信号を印加し、第３端子及び第４端子のいずれかに第２判別信号を印加することができる。
【０１１４】
判別モジュールは、第１端子及び第２端子のうちの残りの一つで第１判別信号が入手されるかを確認することができる。
【０１１５】
判別モジュールは、第３端子及び第４端子のうちの残りの一つで第２判別信号が入手されるかを確認することができる。
【０１１６】
検知モジュールは、第１判別信号及び第２判別信号が全て入手された場合に限って排泄物を検知することができる検知信号を生成することができる。本実施形態によれば、４つの端子がすべてパターンに整列されて接触してこそ検知信号が生成できる。よって、不要に検知信号が生成される現象が防止できる。
【０１１７】
検知モジュールは、第１端子及び第２端子のうちの少なくとも一つに前記検知信号を印加することができる。検知モジュールは、第３端子及び第４端子のうち少なくとも一つから入手される検知信号をモニタリングすることができる。
【０１１８】
検知モジュールは、検知信号のモニタリングを介して排泄物の有無または排泄物の量を把握することができる。
【０１１９】
判別モジュールは、電源が印加されると、端子がパターンに接触したか否かを判別する判別信号を端子に印加するスリープモードで動作することができる。
【０１２０】
スリープモードで動作する判別モジュールによって、端子がパターンに接触したことが確認されると、検知モジュールは、検知信号を端子に印加するオンモードで動作することができる。
【０１２１】
このとき、判別信号は、検知信号よりも低い電力値を有することができる。検知モジュール及び判別モジュールは、端末部に設けられた、制限された充電量を有するバッテリーによって動作できる。検知モジュールまたは判別モジュールの動作期間を最大化するために、判別信号及び検知信号は、リアルタイムで生成される代わりに、設定周期に応じて周期的に生成され、端子に印加されるのがよい。
【０１２２】
判別信号は、端末部に正常なシート部が装着されたか否かを判別することができる。判別信号によれば、ユーザが指、複製シート、その他の物理的反応を用いて端子を接続しても検知信号が生成されない。よって、正常なシート部の利用が強制されるので、ユーザに吸収率などの設定基準を満足する正常なシート部を使用するように誘導することができる。また、非正常な保険料受給のためのシート部の取替数量操作などが難しい。
【０１２３】
何時装着されるか分からないシート部を判別するために、判別信号は、端末部にバッテリーが新たに装着されるか、或いは電源スイッチがオン（ｏｎ）になった場合に生成できる。その結果、端末部に電源のみ印加されると、判別信号が生成できる。このとき、判別信号の電力値は、検知信号よりも低いので、不要な電力消費が最小化できる。
【０１２４】
図８は本発明の他の端末部を示す概略図である。図９は本発明の弾性部と端子との間にシート部が配置された状態を示す概略図である。図１０は本発明の比較実施例を示す概略図である。
【０１２５】
端末部５００には、第１着脱部５１０、第２着脱部５２０及びヒンジ部５４０が設けられ得る。
【０１２６】
第１着脱部５１０及び第２着脱部５２０は、ユーザの排泄物を受けるシート部１００を挟んで互いに密着または離隔しながらシート部１００に対して着脱できる。
【０１２７】
端子５３０は、シート部１００に第１着脱部５１０及び第２着脱部５２０が装着されると、シート部１００に設けられたパターン２００に接触することができる。
【０１２８】
ヒンジ部５４０は、第１着脱部５１０の末端と第２着脱部５２０の末端とを回動自在に接続することができる。ヒンジ部５４０は、回転軸Ｏを中心に回転可能に形成できる。第１着脱部５１０と第２着脱部５２０とは、ヒンジ部５４０を中心に回動しながら互いに密着または離隔することができる。
【０１２９】
シート部１００を挟んで互いに結合する第１着脱部５１０及び第２着脱部５２０のうち、第１着脱部５１０に端子５３０が設置できる。このとき、第１着脱部５１０はパターンに対面することができる。
【０１３０】
第２着脱部５２０には、シート部１００を挟んで端子５３０に対面する弾性部５２１が設けられ得る。弾性部５２１は、板状に形成されたゴムなどの弾性体を含むことができる。
【０１３１】
端子５３０は、第１着脱部５１０と第２着脱部５２０とが互いに密着した状態で弾性部５２１に密着するように弾性部５２１に向かって突出するように形成できる。第１着脱部と第２着脱部とが互いに結合すると、端子５３０は、弾性部５２１に支持されたシート部１００の表面を突き破って入り、シート部の内部に配置されたパターン２００に接触しながら弾性部５２１を加圧することができる。
【０１３２】
第１シート１１０または第２シート１２０を突き破って入るために、端子５３０は、端部が尖った角状に形成できる。第１着脱部は第１シート側に配置され、第２着脱部は第２シート側に配置され得る。逆に、第１着脱部は、第２シート側に配置され、第２着脱部は第１シート側に配置され得る。
【０１３３】
第１着脱部と第２着脱部とが互いに結合すると、端子は、パターンに接触しながら弾性部を加圧することができる。
【０１３４】
弾性部５２１は、図９のように端子５３０の加圧によってパターン２００と一緒に陥没し、陥没した弾性反発力を用いてパターン２００と端子５３０とを密着させることができる。このとき、パターンと端子とは面接触することができる。
【０１３５】
弾性部５２１の代わりに、剛体５１が設けられた図１０の比較実施例の場合、端子の加圧力を一部吸収することができる弾性部５２１が排除されるので、端子は、第２シート部１２０だけでなく、パターン２００まで突き破ることができる。その結果、端子は、パターン２００に形成された穴に嵌め込まれた状態になり、微細な遊動により、端子の側面は、パターン２００の穴から離隔して電気的に断絶できる。たとえ、端子の側面がパターン２００の穴に接触するとしても、線接触状態になるので、電気的接続状態が不良になり易い。また、端子により穴が形成されたパターン２００の電気的性質が悪化し易い。
【０１３６】
本発明の弾性部５２１によれば、端子５３０によるパターン２００の穴の生成が確実に防止され、端子とパターン２００とが面接触するので、電気的接続状態または電気的性質が改善できる。
【０１３７】
端末部には、検知モジュール、判別モジュールを制御する入力部５２７が設けられ得る。入力部５２７は、検知モジュールまたは判別モジュールの電源をオン（ｏｎ）またはオフにする電源ボタンや、検知モジュールまたは判別モジュールをリセットさせるリセットボタンなどを含むことができる。
【０１３８】
ユーザの身体との接触、またはユーザが着ている衣服との接触などにより、入力部５２７が意図せずに操作されることを防止する必要がある。
【０１３９】
入力部５２７は、第２着脱部５２０に対面する第１着脱部５１０の一面に設置されるか、或いは第１着脱部５１０に対面する第２着脱部５２０の一面に設置され得る。第１着脱部５１０における、入力部５２７に対面する面には、第１着脱部５１０に向かって突出した入力部５２７が収容される収容溝５１７が設けられ得る。
【０１４０】
第１シートまたは第２シートを突き破って入らなければならない端子の特性、及び排泄物から離隔しなければならない検知モジュールの特性により、端子と検知モジュールは、互いに異なる着脱部にそれぞれ設置されるのがよい。その代わりに、第１着脱部５１０と第２着脱部５２０との間には、端子と検知モジュールとを電気的に接続する配線が設けられ得る。
【図１】
2020524805.tif 000003
【図２】
2020524805.tif 000004
【図３】
2020524805.tif 000005
【図４】
2020524805.tif 000006
【図５】
2020524805.tif 000007
【図６】
2020524805.tif 000008
【図７】
2020524805.tif 000009
【図８】
2020524805.tif 000010
【図９】
2020524805.tif 000011
【図１０】
2020524805.tif 000012
【国際調査報告】
2020524805.tif 000013
2020524805.tif 000014
2020524805.tif 000015
2020524805.tif 000016
2020524805.tif 000017
2020524805.tif 000018